(57)【要約】      （修正有）【課題】既存の倉庫内等の収納スペースを任意の広さで簡易に広げることができような組立式ステージを構成し、簡単な手順で組立、分解ができるようにし、また、組立てた状態で重量物を載せても堅牢でガタツキがないようにする。【解決手段】二本の支柱６をトラス構造で一体化した支柱枠２と、対向する支柱６間に架け渡される一対のビーム部材３と、ビーム部材３の上部に配置される床パネル４からユニット１を構成し、支柱６に縦二列の係止凹部ｄを多数段形成する。ビーム部材３の両端部には、内側列の係止凹部ｄに係合可能な係止凸部を備えたＬ型部を設け、またビーム部材３の上部には、逆Ｔ型部を形成し、中央の突起部によって、床パネル４の載置領域が二分されるようにする。そして一つのユニット１を中心にして四方に向けて自由に床面積を広げることができるようにする。【選択図】図１
2007055784.tif 000002
【特許請求の範囲】
【請求項１】
ユニットを組合せることによりフロア面積を自由に拡大できるようにした組立式ステージであって、前記ユニットは、二本の支柱をトラス構造で一体化した一対の支柱枠体と、各支柱枠体の対向する支柱間に架け渡される一対のビーム部材と、各ビーム部材の上面に載置される床パネルを備え、前記支柱には、縦二列の係止部が上下方向に多数段形成されるとともに、前記ビーム部材の両端部には、前記支柱の内側列の任意の高さ位置の係止部に係合可能な係止部が設けられ、また、前記ビーム部材の上部には、ビーム部材の上面領域を略半分に仕切るための突起部が長手方向に沿って幅方向の略中央部に突設され、この突起部によって仕切られたビーム部材の内側の上面領域に当該ユニットの床パネルの周縁端部を載置し、外側の上面領域に別のユニットの床パネルの周縁端部を載置し得るようにしたことを特徴とする組立式ステージ。
【請求項２】
前記ビーム部材の上部には、載置された床パネルの周縁端部を固定金具で固定するための張出部が幅方向に対して両側に張り出して設けられることを特徴とする請求項１に記載の組立式ステージ。
【請求項３】
前記ビーム部材または支柱には、落下防止用の手摺りを装着するための手摺り受部が設けられることを特徴とする請求項１又は請求項２に記載の組立式ステージ。
【請求項４】
前記ユニットは、ビーム部材の延出方向と直角方向に延出する連結部材により、別のユニットと連結可能にされることを特徴とする請求項１乃至請求項３のいずれか１項に記載の組立式ステージ。
【発明の詳細な説明】
【技術分野】
【０００１】
本発明は、例えば倉庫内の収納スペースを簡易に増やすような場合に便利な組立式ステージに関する。
【背景技術】
【０００２】
従来、例えば倉庫内に収納される物品を効率良く収納し、格納作業や払出し作業を能率良く行う技術として、一対の物品棚を、各段の物品収納部が対向するように所定寸法離間させて設置し、両物品棚における各段の物品収納部の対向面間に、長手方向を向く物品搬送路を形成するとともに、各物品棚における物品搬送路側の各段の物品収納棚部内に、長手方向を向く作業通路を設けるような技術（例えば、特許文献１参照。）が知られている。
【特許文献１】特開２００４−２６３５４号公報
【０００３】
また、例えば貨物の収納や保管等において、パレットに積載した貨物をパレット支持構造体に収納したり、貨物をパレット支持構造体とともに輸送したりするようなことが行われており、この際、パレット支持構造体を拡張するとともに、用済みの場合にはそれらを重ね合わせて占有面積を最小限にするような技術として、複数のパレット支持構造体を所定の間隔で配置し、その間に連結パレットを配置して、該連結パレットの逆Ｕ字状の溝を有する折曲げ部を介して両者を連結することにより、簡単に増設できるようにした技術（例えば、特許文献２参照。）も知られている。
【特許文献２】実用新案登録第３０３４１７１号公報
【発明の開示】
【発明が解決しようとする課題】
【０００４】
ところが、前記特許文献１のように、一対の物品棚を、各段の物品収納部が対向するように所定寸法離間させて設置する技術の場合は、物品棚を増やして収納スペースを拡大させようとしても難しく、既存の倉庫等において、簡易に収納スペースを拡大させたい場合などには不向きであった。
また、前記特許文献２のように、パレット支持構造体を連結パレットの折曲げ部で連結するような構造は、重量物を載せた場合に、ぐらついたり歪んだりして安定した状態で支持することが困難であった。
【０００５】
そこで本発明は、例えば既存の倉庫内等においても簡易に収納スペースを広げることができような組立式ステージを構成し、簡単な手順で組立、分解が可能なようにするとともに、組立てた状態で重量物を載せても堅牢でガタツキがなく、安定した状態で支持できるようにすることを目的とする。
【課題を解決するための手段】
【０００６】
上記目的を達成するため本発明は、ユニットを組合せることによりフロア面積を自由に拡大できるようにした組立式ステージを設け、前記ユニットとして、二本の支柱をトラス構造で一体化した一対の支柱枠体と、各支柱枠体の対向する支柱間に架け渡される一対のビーム部材と、各ビーム部材の上面に載置される床パネルから構成するとともに、前記支柱には、縦二列の係止部を上下方向に多数段形成し、前記ビーム部材の両端部には、前記支柱の内側列の任意の高さ位置の係止部に係合可能な係止部を設け、また、前記ビーム部材の上部には、ビーム部材の上面領域を略半分に仕切るための突起部を長手方向に沿って幅方向の略中央部に突設し、この突起部によって仕切られたビーム部材の内側の上面領域に当該ユニットの床パネルの周縁端部を載置し、外側の上面領域に別のユニットの床パネルの周縁端部を載置し得るようにした。
【０００７】
そして、このようなユニットは、一対の支柱枠体を対向させた状態で、対向する支柱の上部に一対のビーム部材を架け渡し、その上に床パネルを載置して組付けることにより、床パネルを中二階の床面にするが、支柱には縦二列の係止部が形成されているため、この二列の係止部のうち内側の係止部に当該ユニットのビーム部材の係止部を係合させて組付け、外側の係止部に、別のユニットのビーム部材を連結していけば、ビーム部材の延出方向に対して簡単に多数のユニットを連結することができる。このため中二階の床面積をビーム部材の延出方向に向けて簡単に広げることができる。
また、二本の支柱をトラス構造で一体化して一対の支柱枠体にすることにより、組付け作業が楽に行えるとともに、組立物の堅牢化が図られ、揺れや歪み等が抑制される。
なお、支柱パネルの係止部とビーム部材端部の係止部としては、例えば一方側を凸部に、他方側を凹部にし、お互いに嵌合し合うような構造が適用可能である。
【０００８】
また本発明では、前記ビーム部材の上部に、載置された床パネルの周縁端部を固定金具で固定するための張出部を幅方向に対して両側に張り出して設けるようにした。
このように、張出部を利用して床パネルの周縁端部を固定すれば、組立物全体の堅牢性を一層高めることができる。
【０００９】
また本発明では、前記ビーム部材または支柱には、落下防止用の手摺りを装着するための手摺り受部を設けるようにした。
このように手摺り受部を設けることにより、手摺りを簡単に装着することができて安全性を高めることができる。
【００１０】
また本発明では、前記ユニットを、ビーム部材の延出方向と直角方向に延出する連結部材により他のユニットと連結できるようにした。
このように、連結部材によって複数のユニットをビーム部材の延出方向と直角方向に連結し、ビーム部材の上面領域のうち突起部によって仕切られる外側領域に別のユニットの床パネルを組み付けるようにすれば、この方向に対しても簡単に床面積を広げることができる。
すなわち、一つにユニットを中心にして四方に向けて床面積を広げることが出来るようになり、例えば既存の倉庫内等において、倉庫の内部スペースに合わせて効率良く収納スペースを拡大させることができる。
【発明の効果】
【００１１】
ユニットを組合せることによりフロア面積を自由に拡大できるような組立式ステージにおいて、ユニットとして、一対の支柱枠体と、一対のビーム部材と、床パネルから構成するとともに、支柱に形成される縦二列の係止部のうち、内側列の係止部にビーム部材端部の係止部を係合させることにより簡単に床面積を広げることができ、この際、組立作業を楽に行え、また組立物の堅牢性を高めることができる。
また、ビーム部材の上部の張出部に、載置された床パネルの周縁端部を固定するようにすれば、組立物の一層の堅牢化が図られ、また、ビーム部材に手摺り受部を設ければ、安全性を高めることができる。
更に、連結部材によりビーム部材の延出方向と直角方向に他のユニットを連結すれば、ビーム部材の上部の突起部で仕切られた上面領域のうち、外側の領域を活用してこの方向に対しても簡単に床面積を広げることができるようになる。
【発明を実施するための最良の形態】
【００１２】
本発明の実施の形態について添付した図面に基づき説明する。
ここで図１は本発明に係る組立式ステージの組立て前の状態を示す一例図、図２は支柱枠体とビーム部材の説明図、図３はビーム部材の説明図で（ａ）は平面図、（ｂ）は正面図、（ｃ）は側面図、図４は支柱とビーム部材端部の連結状態を説明する拡大図、図５は支柱枠体と連結部材の説明図、図６は連結部材の説明図、図７は床パネルの組付け状態の説明図、図８は床パネルの断面図、図９はビーム部材上に載置される床パネルの説明図、図１０は床パネルを固定する固定金具の説明図、図１１は同固定金具による床パネルの固定状態の説明図、図１２は組立式ステージの組立状態の一例を示す説明図である。
【００１３】
本発明に係る組立式ステージは、例えば既存の倉庫内の収納スペースを広げるような際、簡単な手順で組立、分解が可能なようにするとともに、組立てた状態で重量物を載せても堅牢でガタツキがなく、安定した状態で支持できるようにされている。
【００１４】
すなわち、図１に示すように、本組立式ステージは、組立自在なユニット１によって中二階を形成するとともに、複数のユニット１を縦横に連結することによって中二階の床面積を自由に広げることができるようにされ、このユニット１は、図１の右方に示すように、一対の支柱枠２と、一対のビーム部材３と、床パネル４を備えている。そして、複数のユニット１をビーム部材３の延出方向と直角方向に連結するため、図１左方に示すように連結部材５が設けられており、また、床パネル４の一番端には、手摺り１０を装着できるようにされている。
【００１５】
前記支柱枠２は、二本の支柱６と上下二本の横桁材と一本の斜め材によってトラス構造として枠組み一体化されており、本実施例では、支柱６は断面略コの字型のアルミ材から構成され、その前面には、係止部としての係止凹部ｄと、ネジ孔ｎ（図４）が交互に縦二列にわたって多数段設けられている。
【００１６】
前記ビーム部材３は、図３、図４に示すように、断面矩形状のアルミ材からなる角パイプ３ａと、この角パイプ３ａの上面に溶着等で固定される逆Ｔ字型の逆Ｔ型部３ｂと、角パイプ３ａの長手方向の両端部に溶着等で固定される断面Ｌ字型のＬ型部３ｃを備えており、逆Ｔ型部３ｂは、幅方向の中央部に上向きに突設されて長手方向に延出する突起部ｔによって上面領域が二分されており、また、逆Ｔ型部３ｂの幅方向両端部は、張出部ｈとして角パイプ３ａの側方端部を超えて外側に張り出している。
【００１７】
また、前記Ｌ型部３ｃは、角パイプ３ａの端部に補強プレート７を介して溶着等で固定される取付面部ｘと、この取付面部ｘの片側端部から前方に張り出す側面部ｙによってＬ型形状にされ、この側面部ｙには、前記支柱６の係止凹部ｄに嵌合可能なようにＬ字型内に向けて突出する係止凸部ｋとネジ孔ｍが複数箇所に設けられている。
そして、支柱６とビーム部材３とを連結する際、図４に示すように、Ｌ型部３ｃの取付面部ｘを支柱６の側面に突き当てた状態で、側面部ｙの係止凸部ｋを支柱６の手前の列（内側列）の係止凹部ｄに嵌合させ、両方のネジ孔ｍ、ｎにネジを捩じ込んで組み付けるようにしている。ここで、本実施例では、Ｌ型部３ｃの係止凸部ｋと、支柱６の係止凹部ｄとの嵌合は、両者を嵌め込んで、ビーム部材３を僅かに下方に下げると両方のネジ孔ｍ、ｎが位置合わせされるとともに、この状態では、ビーム部材３を支柱６から離す方向に水平な力を加えても嵌合状態が解けず、嵌合を解くためには、ビーム部材３を僅かに持ち上げて引離す方向に力を加えなければならないようにされている。
【００１８】
また、この支柱６に対しては、他方側列の係止凹部ｄを利用して、別のユニットのビーム部材３を同時に連結できるようにされている。すなわち、Ｌ型部３ｃの側面部ｙの幅は、支柱６の前面幅の略１／２程度か、またはそれ以下にされている。
【００１９】
ところで、角パイプ部３ａの片側側面には、複数箇所に手摺り１０の下端部が挿入可能な手摺り受部１１ａが溶着等で固定されており、この固定箇所に対応する逆Ｔ型部３ｂの張出部ｈは、部分的に切り欠かれた凹部とされている。
また、ビーム部材３に固定される手摺り受部１１ａとは別に、支柱６に独立で取り付けることが可能な手摺り受部１１ｂ（図１）も設けられている。
【００２０】
前記連結部材５は、図５、図６に示すように、支柱枠体２を枠体面と平行な方向に連結できるようにされ、梁材１２の両端部に溶着等で固着される取付プレート１３を備えている。そして、この取付プレート１３には、支柱６のネジ孔ｎの位置、またはビーム部材３端部のＬ型部３ｃのネジ孔ｍの位置に対応してネジ孔ｅが設けられており、支柱６に直接連結するか、またはビーム部材３が連結される支柱６に間接的に連結することができるようにされている。なお、この連結部材５もアルミ材から構成されている。
【００２１】
前記床パネル４は、図７、図８に示すように、幅方向の一方側端部に形成される凹状の受部４ａに他方側端部の折曲げ部４ｂを載置して重ね合わせることにより床面積を任意に拡大できるようにされるとともに、幅方向の中央部にも逆Ω状の折返し部４ｃが設けられた断面形状とされ、重い物品を載せても安定して支持できるようにされている。そして、このような床パネル４の長手方向の両端部を、図９に示すように、前記ビーム部材３の逆Ｔ型部３ｂの突起部ｔによって二分される平面領域の上部に載置して敷き詰めていき、以下に述べる固定金具１４により、逆Ｔ型部３ｂの張出部ｈに固定できるようにされている。
【００２２】
前記固定金具１４は、図１０に示すように、略コの字型の金具本体１５のネジ孔に螺合する湾曲ネジ部材１６と、この湾曲ネジ部材１６のネジ部に螺合可能なナット１７を備えており、前記金具本体１５は、コの字の一方側の立上り部１５ａが二股形状にされて、床パネル４の受部４ａを幅方向に挟み込むことができるようにされている。
そして、このような固定金具１４は、図１１に示すように、重ね合わせられた二枚の床パネル４の重合箇所、すなわち、受部４ａと折曲げ部４ｂの重合部の上部に湾曲ネジ部材１６の上端を当接させ、金具本体１５の一方側の立上り部１５ａの二股部で床パネル４の受部４ａを挟み込んだ状態にすると同時に、他方側の立上り部１５ｂを逆Ｔ型部３ｂの張出部ｈ下面に当接させてナット１７を締め付けることにより、床パネル４をビーム部材３に固定できるようにされている。
【００２３】
前記手摺り１０は、図１に示すように、ユニット１の縦方向と横方向では異なった形状にされているが、基本的に複数本の手摺り支柱１８と、この手摺り支柱１８間に配設される複数本の手摺りバー１９とから構成され、いずれもアルミ材から一体に構成されるとともに、手摺り支柱１８の下端部が前記ビーム部材３側面の手摺り受部１１ａまたは支柱６に取り付けられる手摺り受部１１ｂに嵌合可能にされている。
【００２４】
以上のようなユニット１を組立てる際は、一対の支柱枠２を対向する位置に配置し、お互いに対向する支柱６間の上部にビーム部材３を架設して連結する。すなわち、係止凹部ｄと係止凸部ｋを嵌合させ、ネジ孔ｎ、ｍにネジを捩じ込んで固定する。
そして、ビーム部材３の逆Ｔ型部３ｂの内側領域上に床パネル４を敷き詰め、固定金具１４で固定すれば、ユニット１が組立てられる。
【００２５】
このようなユニット１を複数連結する場合、ビーム部材３の延出方向に対しては、支柱６の外側列の係止凹部ｄを利用して別のユニット１のビーム部材３を連結して床パネル４を敷き詰めてゆき、ビーム部材３の延出方向と直角方向に対しては、図１２に示すように、連結部材５を支柱６の上部に連結して床パネル４を敷き詰めてゆけば、一つのユニット１を中心にして四方に床面積を広げることができる。
この際、支柱枠２とビーム部材３と床パネル４がいずれもしっかり固定されるため、重量物を載置しても構造物は揺れたり歪んだりすることがなく、安定した状態で支持できる。また、下方の空間部の一部にフォークリフト等の通り抜けることのできるスペースが生じるため、物品の物流等に便利である。
【００２６】
なお、本発明は以上のような実施形態に限定されるものではない。本発明の特許請求の範囲に記載した事項と実質的に同一の構成を有し、同一の作用効果を奏するものは本発明の技術的範囲に属する。例えば、材質や桁材等の断面形状は任意であり、また、支柱６の係止凹部ｄやビーム部材３の係止凸部ｋ等は例示である。
【産業上の利用可能性】
【００２７】
組立式ステージにおいて、組立、分解作業が簡単で、組立てた時の堅牢性が高いため、重量物でも安定した状態で支持でき、また、スペースに合わせて自由に床面積を拡大できるため、既存の倉庫等の収納スペースを増やすような際に好適である。
【図面の簡単な説明】
【００２８】
【図１】本発明に係る組立式ステージの組立て前の状態の一例を示す説明図
【図２】支柱枠体とビーム部材の説明図
【図３】ビーム部材の説明図で（ａ）は平面図、（ｂ）は正面図、（ｃ）は側面図
【図４】支柱とビーム部材端部の連結状態を説明する拡大図
【図５】支柱枠体と連結部材の説明図
【図６】連結部材の説明図
【図７】床パネルの組付け状態の説明図
【図８】床パネルの断面図
【図９】ビーム部材上に載置される床パネルの説明図
【図１０】床パネルを固定する固定金具の説明図
【図１１】同固定金具による床パネルの固定状態の説明図
【図１２】組立式ステージの組立状態の一例を示す説明図
【符号の説明】
【００２９】
１…ユニット、２…支柱枠、３…ビーム部材、４…床パネル、５…連結部材、６…支柱、１０…手摺り、１１ａ、１１ｂ…手摺り受部、１４…固定金具、ｄ…係止凹部、ｋ…係止凸部、ｈ…張出部。
【図１】
2007055784.tif 000003
【図２】
2007055784.tif 000004
【図３】
2007055784.tif 000005
【図４】
2007055784.tif 000006
【図５】
2007055784.tif 000007
【図６】
2007055784.tif 000008
【図７】
2007055784.tif 000009
【図８】
2007055784.tif 000010
【図９】
2007055784.tif 000011
【図１０】
2007055784.tif 000012
【図１１】
2007055784.tif 000013
【図１２】
2007055784.tif 000014